(57)【要約】【課題】手作業による組み立てで折り曲げ箇所が少ない二重壁組立箱の展開物及び二重壁組立箱を提供する。【解決手段】六面体形状の二重壁組立箱１の展開物２は、底板１１及び２つの側面部５による本体部３と、２つの妻面部４と、からなる。側面部それぞれは、底板の対向する２辺の異なる一方に折り線４１で続く外側面１２と、外側面に折れ線４２で続く連結部１３と、連結部に折れ線４３で続く内側面１４と、内側面に折れ線４４で続く糊しろ１５と、が一方向に並ぶ。妻面部それぞれは、側面部の各部の並びに直交する方向の異なる側で、外側面に折れ線４５で続く外妻面２１と、底板側で外妻面に折れ線４６で続く上底板部２２と、底板の遠方で外妻面に折れ線４７で続く連結部２３と、連結部に折れ線４８で続く内妻面２４と、内妻面に折れ線４９で続く糊しろと、が、側面部の各部と同方向に並ぶ。【選択図】図１
2013237458.tif 000002
【特許請求の範囲】
【請求項１】
四方の側面が二重となる六面体形状の二重壁組立箱の展開物であって、
前記二重壁組立箱において底となる底板および対向するがわ面となる２つの側面部で構成された本体部と、
前記二重壁組立箱において対向するつま面となる２つの妻面部と、からなり、
２つの前記側面部のそれぞれは、
前記底板の対向する２辺の互いに異なる一方に折り線を介して連続し前記がわ面の外側となる外側面と、
前記外側面に折れ線を介して連続する連結部と、
前記連結部に折れ線を介して連続し前記がわ面の内側となる内側面と、
前記内側面に折れ線を介して連続する糊しろと、が一方向に並んでおり、
２つの前記妻面部のそれぞれは、前記本体部を挟んで前記一方向に直交する方向の互いに異なる側において、
前記外側面に折れ線を介して連続し前記つま面の外側となる外妻面と、
前記底板に近い側で前記外妻面に折れ線を介して連続する上底板部と、
前記底板から離れた側で前記外妻面に折れ線を介して連続する連結部と、
前記連結部に折れ線を介して連続し前記つま面の内側となる内妻面と、
前記内妻面に折れ線を介して連続する糊しろと、が前記一方向と同じ方向に並んだ
ことを特徴とする二重壁組立箱の展開物。
【請求項２】
２つの前記側面部はいずれも、その前記連結部の両側の折り線で折り曲げられてその前記糊しろが前記底板に糊づけされており、
２つの前記妻面部はいずれも、その前記連結部の両側の折り線で折り曲げられてその前記糊しろが前記上底板部に糊づけされた
請求項１に記載の二重壁組立箱の展開物。
【請求項３】
請求項２に記載の二重壁組立箱の展開物が組み立てられて形成された
二重壁組立箱。
【請求項４】
四方の側面が二重となる六面体形状の二重壁組立箱の展開物であって、
前記二重壁組立箱において底となる底板および対向するがわ面となる２つの側面部で構成された本体部と、
前記二重壁組立箱において対向するつま面となる２つの妻面部と、からなり、
２つの前記側面部のそれぞれは、
前記底板の対向する２辺の互いに異なる一方に折り線を介して連続し前記がわ面の外側となる外側面と、
前記外側面に折れ線を介して連続し前記がわ面の内側となる内側面と、
前記内側面に折れ線を介して連続する糊しろと、が一方向に並んでおり、
２つの前記妻面部のそれぞれは、前記本体部を挟んで前記一方向に直交する方向の互いに異なる側において、
前記外側面に折れ線を介して連続し前記つま面の外側となる外妻面と、
前記底板に近い側で前記外妻面に折れ線を介して連続する糊しろ支持部と、
前記底板から離れた側で前記外妻面に折れ線を介して連続し前記つま面の内側となる内妻面と、
前記内妻面に折れ線を介して連続する糊しろと、が前記一方向と同じ方向に並んだ
ことを特徴とする二重壁組立箱の展開物。
【請求項５】
２つの前記側面部はいずれも、その前記外妻面と前記内妻面とを画する折り線で折り曲げられてその前記糊しろが前記糊しろ支持部に糊づけされており、
２つの前記妻面部はいずれも、その前記外側面と前記内側面とを画する折り線で折り曲げられてその前記糊しろが前記底板に糊づけされた、
請求項４に記載の二重壁組立箱の展開物が組み立てられた二重壁組立箱。
【発明の詳細な説明】
【技術分野】
【０００１】
本発明は、例えば、収容する商品等を保護しおよび高級感を与えるために側面が厚みを有する二重構造となった組立箱および側面を二重に補強した組立箱に関する。
【背景技術】
【０００２】
贈答品では、外部からの衝撃を吸収し収容する商品を保護するため、および収容する商品に高級感を与えるために側面が厚みを有する中空の二重構造となった、段ボール、厚紙等による組立箱が使用されることがある。このような組立箱（「二重壁組立箱」という）として、例えば特許文献１に記載されたものが提案され、また図７（展開図）、図８（組み立て要領図）に示されるものが実施されている。
【先行技術文献】
【特許文献】
【０００３】
【特許文献１】実公昭５２−４２８４０号公報
【発明の概要】
【発明が解決しようとする課題】
【０００４】
特許文献１に記載された二重壁組立箱は、側面を二重構造とするために、型で打ち抜かれた後に、側面の内側となる部分（側板）の端近傍が、箱の底となる部分（底板）に糊付けされる。糊付けは、４つの側面の全てに行われ、糊付け作業は、直交する２方向について各１回ずつ計２回行われる。特許文献１に記載された二重壁組立箱は、糊付けが２工程となることにより糊付け作業の効率が悪く、また糊付け作業による不良品が数多く発生するという問題がある。
【０００５】
図７、図８に示される二重壁組立箱９は、展開物における対向するがわ面部分７１，７１の端近傍７２，７２が、底板７３に糊付けされる。二重壁組立箱９は、組み立て作業において、糊付けされたがわ面部分７１，７１が底板７３に対して直角に折り曲げられる。次に、１組のつま面部分７４，７４の外方側が、がわ面部分７１，７１の一部を内側に取り込みながら折り曲げられる。二重壁組立箱９は、糊付け作業が１方向のみの１工程で行われることにより、糊付け作業に起因する不良品の発生が減少する。
【０００６】
ところで、二重壁組立箱は、その大きさ、底板の幅と長さとの比率等の組み合わせが多様であり、小ロットの糊付けされた二重壁組立箱の組み立ては、機械化が難しいため、通常は人の手作業で行われる。
図７、図８に示される二重壁組立箱９は、糊付け後の展開状態から箱に組み立てるまでの折り曲げ箇所が多く、組み立て作業が煩雑で手間取るという問題がある。
【０００７】
また、例えば、上面を取り囲む４つの側面が、厚さを有しないものの二重になった箱（これについても「二重壁組立箱」という）が使用され、このような箱についても、組み立て作業において図７、図８に示される二重壁組立箱９と同じ問題がある。
本発明は、上述の問題に鑑みてなされたもので、糊付け後の手作業による組み立てにおいて折り曲げ箇所が少ない二重壁組立箱の展開物ならびにこれを組み立てた二重壁組立箱を提供することを目的とする。
【課題を解決するための手段】
【０００８】
本発明に係る展開物は、組み立てたときに、四方の側面が二重になる六面体形状の二重壁組立箱の展開物である。展開物は、二重壁組立箱において、底となる底板および対向するがわ面となる２つの側面部で構成された本体部と、対向するつま面となる２つの妻面部と、からなる。
２つの側面部のそれぞれは、底板の対向する２辺の互いに異なる一方に折り線を介して連続しがわ面の外側となる外側面と、外側面に折れ線を介して連続する連結部と、連結部に折れ線を介して連続しがわ面の内側となる内側面と、内側面に折れ線を介して連続する糊しろと、が一方向に並ぶ。
【０００９】
２つの妻面部のそれぞれは、本体部を挟んで側面部の各部分が並ぶ方向に直交する方向の互いに異なる側において、外側面に折れ線を介して連続し前記つま面の外側となる外妻
面と、底板に近い側で外妻面に折れ線を介して連続する上底板部と、底板から離れた側で外妻面に折れ線を介して連続する連結部と、連結部に折れ線を介して連続し前記つま面の内側となる内妻面と、内妻面に折れ線を介して連続する糊しろと、が、側面部の各部分が並ぶ方向と同じ方向に並ぶ。
【００１０】
前記展開物は、組み立て前に、２つの側面部がいずれも、その連結部の両側の折り線で折り曲げられてその糊しろが底板に糊づけされる。また、２つの妻面部がいずれも、その連結部の両側の折り線で折り曲げられてその糊しろが上底板部に糊づけされる。
本発明に係る二重壁組立箱は、上述した展開物が、その折れ線で曲げられて組み立てられたものである。
【００１１】
本発明に係る他の展開物は、四方の側面が二重となる六面体形状の二重壁組立箱の展開物である。展開物は、二重壁組立箱において底となる底板および対向するがわ面となる２つの側面部で構成された本体部と、二重壁組立箱において対向するつま面となる２つの妻面部と、からなる。
２つの側面部のそれぞれは、底板の対向する２辺の互いに異なる一方に折り線を介して連続しがわ面の外側となる外側面と、外側面に折れ線を介して連続しがわ面の内側となる内側面と、内側面に折れ線を介して連続する糊しろと、が一方向に並ぶ。
【００１２】
２つの妻面部のそれぞれは、本体部を挟んで一方向に直交する方向の互いに異なる側において、外側面に折れ線を介して連続しつま面の外側となる外妻面と、底板に近い側で外妻面に折れ線を介して連続する糊しろ支持部と、底板から離れた側で外妻面に折れ線を介して連続しつま面の内側となる内妻面と、内妻面に折れ線を介して連続する糊しろと、が一方向と同じ方向に並ぶ。
【００１３】
本発明に係る二重壁組立箱は、２つの側面部がいずれも、その外妻面と内妻面とを画する折り線で折り曲げられてその糊しろが糊しろ支持部に糊づけされ、２つの妻面部がいずれも、その外側面と内側面とを画する折り線で折り曲げられてその糊しろが底板に糊づけされた、上述した展開物が組み立てられたものである。
上述した二重壁組立箱は、商品を収容する箱として使用されるほかに箱としての他の用途に使用され、また箱の蓋としても使用される。
【発明の効果】
【００１４】
本発明によると、糊付け後の手作業による組み立てにおいて折り曲げ箇所が少ない、側面が二重になった二重壁組立箱の展開物およびこれを組み立てた二重壁組立箱を提供することができる。
【図面の簡単な説明】
【００１５】
【図１】図１は二重壁組立箱の展開図である。
【図２】図２は糊付けされた二重壁組立箱の展開物の平面図である。
【図３】図３は組み立て途中の二重壁組立箱の斜視図である。
【図４】図４は組み立てられた二重壁組立箱の斜視図である。
【図５】図５は他の二重壁組立箱の展開図である。
【図６】図６は二重壁組立箱の糊付けされた展開物の平面図である。
【図７】図７は従来の二重壁組立箱の展開図である。
【図８】図８は従来の二重壁組立箱の組み立て途中の斜視図である。
【発明を実施するための形態】
【００１６】
図１は二重壁組立箱１の展開図である。
図１に示される二重壁組立箱１が展開されたもの（以下「展開物２」という）は、紙段ボールをトムソン型により型抜きすることにより製造される。展開物２の材料として、紙段ボールのほかに、プラスチック段ボール、厚紙、発泡樹脂による厚板等が使用可能である。
【００１７】
展開物２は、本体部３および２つのつま面部（以下「妻面部」と記す）４，４からなる。
本体部３は、全体として矩形であり、二重壁組立箱１において底となる底板１１、および二重壁組立箱１において二重のがわ面を形成するがわ面部（以下「側面部」と記す）５
からなる。
【００１８】
底板１１は正方形または矩形である。
２つの側面部５，５は、底板１１が正方形であれば互いに平行な２辺、矩形であれば２つの長辺の、互いに異なる一方に連続してこれらの２つの辺に直交する方向に拡がる。側面部５は、二重のがわ面において外側の面となる外がわ面１２、がわ面に厚みを与える連結部１３、内側の面となる内がわ面１４、および糊しろ１５からなる。以下、これらにおける「がわ面」を「側面」と記す。
【００１９】
また、外側面１２および内側面１４と称するがこれらは表面ではなく、部分の名称を意味するものとする。このことは、「つま面」においても同様である。
外側面１２は、形状が矩形であり、その長辺の一方が、折り線４１を挟んで底板１１に連続する。連結部１３は、外側面１２における底板１１とは反対側の長辺に、折り線４２を挟んで連続する。連結部１３は、その形状が、外側面１２の長辺と同じ長さの長辺、および所望するがわ面の厚みと同じ長さの短辺による矩形である。
【００２０】
内側面１４は、連結部１３における外側面１２とは反対側の長辺に、折り線４３を挟んで連続する。内側面１４は、全体として外側面１２と同じ形状、大きさである。内側面１４は、その矩形形状における短辺の一方に、切り欠き１６が設けられている。切り欠き１６は、短辺の連結部１３から離れた側において略矩形に切り取られた形状である。切り欠き１６は、その端縁が、内側面１４の短辺の略中央から内方に略１０ｍｍの距離延び、その後これに直交して外方に延びる。切り欠き１６は、内側面１４の短辺から内方に延びた端縁の短辺側が、連結部１３とは反対側に湾曲して突出する。この突出する部分をがわ係合部１８という。
【００２１】
糊しろ１５は、連結部１３とは反対側の内側面１４の長辺に、折り線４４を挟んで連続する。糊しろ１５は、形状が、折り線４４を底辺とし、２つの斜辺がこの底辺に略４５度傾斜して互いに接近する、高さが略１５ｍｍの台形である。折り線４４は、略その中央で一定の長さだけ欠落する。折り線４４が欠落した部分は、内側面１４に入り込む切り離し線１７がトムソン型の打ち抜きにより設けられている。折り線４４における他の部分には、さらに一定間隔で所定の長さの切り込みが設けられている。
【００２２】
２つの側面部５は、その形状が底板１１を挟んで点対称であり、これに底板１１を加えた本体部３も点対称である。
妻面部４は、外つま面２１、上底板部２２、連結部２３、内つま面２４および糊しろ２５からなる。以下、これらにおける「つま面」を「妻面」と記す。
外妻面２１は、形状が矩形であり、その短辺の１つが、本体部６における外側面１２の短辺と折り線４５を挟んで連続している。外妻面２１が連続するのは、本体部６における切り欠き１６が設けられていない側の外側面１２の短辺である。外妻面２１の長辺の長さは、底板１１における側面部５に連続しない辺の長さに略等しい。
【００２３】
上底板部２２は、矩形の外妻面２１における底板１１側の長辺に折り線４６を挟んで連続し、全体として四角形である。上底板部２２が外妻面２１と折り線４６を共有する長さは、外妻面２１の長手方向の両端からそれぞれ連結部２３の幅を差し引いたものである。なお、連結部２３の幅は、側面部５における連結部１３の幅に略等しい。上底板部２２における折り線４５が延びた方向の長さＬ１は、底板１１と外側面１２との間の折り線４１の長さＬ２の半分に連結部２３の幅を加えた値よりわずかに小さい。長さＬ１をこのような寸法にすることにより、二重壁組立箱１を二重底とすることができる。
【００２４】
上底板部２２は、折り線４６から遠い側の端に、折り線４６方向に突出する１対の部分を有する。この突出する部分を底係合部３１という。
折り線４６は、本体部３の折り線４１の延長線に対して、上底板部２２の反対側に展開物の厚さ分ずれている。
底係合部３１は、突出端側の幅（折り線４６に直交する方向の寸法）が突出元の幅Ｗ１よりも大きい。突出端側と突出元との幅の差は、突出端における折り線４６側が湾曲して突出していることによる。底係合部３１における突出元の幅Ｗ１は、切り離し線１７による折り線４４の欠落長さＷ２の略半分である。ここで「突出元」とは、上底板部２２にお
ける他の部分と底係合部３１とが連続する部分をいう。なお、突出端側おける一部分の幅が突出元の幅Ｗ１よりも大きければよい。
【００２５】
連結部２３は、外妻面２１における上底板部２２とは反対側の長辺に、折り線４７を挟んで連続する。連結部２３は、形状が、外妻面２１の長辺と同じ長さの長辺、および側面部５における連結部１３の短辺と同じ長さの短辺を有する矩形である。連結部２３における折り線４７と重なる長辺の両端は、側面部５における連結部１３の短辺に略等しい長さが切り離されている。折り線４７は、本体部３の折り線４２の延長上に位置する。
【００２６】
内妻面２４は、連結部２３における外妻面２１とは反対側の長辺に、折り線４８を挟んで連続する。内妻面２４は、折り線４８に連結部１３の短辺を加えた長さの長辺と、内側面１４の短辺と同じ長さの短辺とを有する矩形である。折り線４８の長さは、この隣の折り線４７と同じであり、内妻面２４の長辺の長さは、連結部２３の長辺の長さよりも短い。折り線４８は、本体部３における折り線４３の延長上に位置する。
【００２７】
内妻面２４は、本体部３から離れた側であって連結部２３から離れた角（かど）に、折り線４８方向に飛び出た突部３２を有する。突部３２は、内妻面２４の短辺に沿った帯状であり、突出側の端縁は、外妻面２１における外方の短辺の延長線に一致する。突部３２における連結部２３側を向く端縁は、連結部２３側に湾曲して突出する。この突出する部分をつま係合部３３という。つま係合部３３は、突部３２が飛び出た側に偏って位置する。
【００２８】
糊しろ２５は、内妻面２４における連結部２３とは反対側の長辺に、折り線４９を挟んで連続する。糊しろ２５は、形状が、折り線４９を底辺とし、２つの斜辺がこの底辺から接近する方向に略４５度傾斜して延びた、高さが略１５ｍｍの台形である。糊しろ２５は、その幅（台形における高さ）が、本体部３における糊しろ１５に略等しい。折り線４９には、一定間隔で所定の長さの切り込みが設けられている。折り線４９は、本体部３における折り線４４の延長上に位置する。
【００２９】
２つの側面部５は、一方が本体部３の一方の外側面１２に連続し、他方が本体部３を挟んで異なる他方の外側面１２に連続する。展開物２は、全体として点対称である。
図２は糊付けされた展開物２の平面図、図３は組み立て途中の二重壁組立箱１の斜視図、図４は組み立てられた二重壁組立箱１の斜視図である。
段ボールを型抜きして得られた展開物２は、一方の妻面部４を先にして糊付け装置に通され、糊しろ１５，２５に糊が塗布される。隣り合う側面部５の糊しろ１５および妻面部４の糊しろ２５は、同一線上に存在する。
【００３０】
二重壁組立箱１は、包装する商品に応じて底板の形状、高さ等が多様であり、それぞれが小ロット品の場合が多い。そのため、異なる形状等の二重壁組立箱となる展開物は、それぞれで糊の塗布位置、塗布タイミングが異なり、展開物の切り替えの都度、糊付けを試しながらこれらの微妙な調整が必要となり、糊付け工程での不良品が発生しやすい。展開物２は、糊付けが１工程、つまりこの微妙な糊付けの調整が１度でよいため、糊付け工程における不良品の発生が少なくなる。
【００３１】
さて、糊が塗布された展開物２は、本体部３の折り線４２，４３、および妻面部４の折り線４７，４８を介して連続する両側が、糊しろ１５，２５の糊付け面が内側となるように折り曲げられ、糊しろ１５，２５が上底板部２２、底板１１に接着される。図２の糊しろ１５，１５，２５における網掛け部分は、糊により接着された部分を表す。
展開物２は、糊付けされた部分が十分に固着した後、手作業による組み立てが行われる。
【００３２】
組み立て工程では、展開物２は、妻面部４における折り線４６，４９、本体部３における折り線４１，４４および妻面部４と本体部３とをつなぐ折り線４５，４５で、糊しろ１５，１５，２５側（図２の手前側）に折り曲げられる。側面部５における内側面１４に入り込む切り離し線１７が設けられた部分は、内側面１４から離れて、二重となった側面部５の内外を連通させる孔（「係止孔３４」という）を生じさせる（図３）。
【００３３】
糊付けされた展開物２における折り曲げ箇所は、これらの折り線４１，４４，４５，４６，４９のみであり、折り線４６，４９および折り線４１，４４は一体として折り曲げる
ことができる。
展開物２は、図７に示される展開物に比べて、手作業による折り曲げ箇所が少ない。
糊しろ１５が糊付けされて二重壁となった側面部５は、底板１１に対して直角となるまで起こされる。妻面部４は、糊しろ２５が上底板部２２に糊付けされて外妻面２１および内妻面２４が二重になっており、側面部５が起こされると、側面部５と一緒に起き上がる。二重になった外妻面２１および内妻面２４は、上底板部２２に対して９０度まで起こされ、折り線４５周りに９０度回動されて、上底板部２２が本体部３の底板１１の上に移動される（図３）。上底板部２２の底係合部３１が、本体部３の係止孔３４に嵌め入れられる。
【００３４】
２つの側面部５，５および２つの妻面部４，４に対するこの作業は、略同時に行われ、２つの妻面部４，４における上底板部２２，２２の先側端縁は、底板１１の中央で略隙間なく対向する。この作業の途中で、それぞれの上底板部２２，２２の２つの底係合部３１，３１は、互いに異なる係止孔３４，３４に嵌め入れられる。
底係合部３１は、突出元の幅Ｗ１が係止孔３４の長さＷ２の略半分であることから、上底板部２２，２２における互いに対向位置にある２つが係止孔３４に入り込む。底係合部３１は、折り線４６側に突出する突出端が内側面１４の裏側に係止され、係止孔３４内に入り込んだ状態が維持される。
【００３５】
各妻面部４の上底板部２２が本体部３の底板１１の上に重ねられると、内側面１４と内妻面２４とが略直交する。
内妻面２４の突部３２は、内妻面２４が内側面１４に直交し内側面１４の切り欠き１６の端縁にその表面が接した状態で、二重になった側面部５の内部に差し入れられる。
突部３２は、突出端側につま係合部３３を有することにより、その突出元の折り線４５方向の寸法Ｈ１が、突出端側に比べて小さい。「突出元」とは、内妻面２４における他の部分と突部３２とが連続する部分をいう。
【００３６】
切り欠き１６における略折り線４４方向に延びた端縁の折り線４４からの距離は、端側にがわ係合部１８を有することにより、端側に比べ奥側で大きい。展開物２では、切り欠き１６における奥側の端縁と折り線４４との距離Ｈ２は、突部３２の突出元の折り線４５方向における寸法（折り線４９からの距離）Ｈ１に略等しい。なお、展開物２の厚さが大きく無視できない場合には、距離Ｈ２は、距離Ｈ１に展開物２の厚さを加えた値が採用される。
【００３７】
突部３２が二重の側面部５の内部に差し入れられた結果、突部３２のつま係合部３３が内側面１４の裏側で連結部１３側に突出し、がわ係合部１８が内妻面２４の裏側においてつま係合部３３の突出方向の反対側に突出する。そして、突部３２のつま係合部３３がわにおける折り線４９からの最少距離Ｈ１と、切り欠き１６の折り線４４からの最大距離Ｈ２と、が略等しいので、つま係合部３３が内側面１４によりその裏側に係止され、がわ係合部１８が内妻面２４によりその裏側に係止される。
【００３８】
二重壁組立箱１は、妻面部４の端と側面部５の端とがこのように連結されることにより、組み立てられた状態（図４）が維持される。
二重壁組立箱１は、がわ面およびつま面がいずれも糊付けで二重にされたことにより、糊付け後の手作業による組み立てにおける折り曲げ箇所が少なく、組み立ての作業効率が高い。二重壁組立箱１は、展開物２の糊付けを１工程で行うことができ、糊付け工程における不良品の発生を低減させることができる。
【００３９】
また、二重壁組立箱１は、その底が底板１１および上底板部２２，２２により二重となる。そのため、図８のようにして組み立てられた一枚底の二重壁組立箱９に比べて、より重い商品を収容（包装）することができる。
図５は他の二重壁組立箱の展開図、図６は糊付けされた展開物６の平面図である。二重壁組立箱の展開物６は、厚紙で作成される。展開物６の材料として、比較的厚さの薄い段ボール、プラスチック段ボール等が使用可能である。
【００４０】
展開物６は、本体部３Ｂおよび２つの妻面部４Ｂ，４Ｂからなる。
本体部３Ｂは、全体として矩形であり、二重壁組立箱の底となる底板５１Ｂ、および二
重壁組立箱において二重のがわ面を形成する側面部５Ｂからなる。
本体部３Ｂは、前述した二重壁組立箱１の本体部３が有する連結部１３、切り離し線１７、切り欠き１６およびがわ係合部１８を有しない点を除き、二重壁組立箱１の本体部３と同じ構成である。つまり、本体部３Ｂは、連結部１３を無くしたことにより、二重壁組立箱１における連結部１３の両側の折り線４２，４３が、外がわ面（外側面）１２Ｂと内がわ面１４Ｂとを区切る１つの折り線５２Ｂに置き換えられたものである。
【００４１】
妻面部４Ｂは、外つま面２１Ｂ、糊しろ支持部５３Ｂ、内つま面（内妻面）２４Ｂおよび糊しろ２５Ｂからなる。
糊しろ支持部５３Ｂは、外側面１２Ｂと折り線４５Ｂを介して繋がる外つま面（外妻面）２１Ｂの底板５１Ｂ側に、折り線４５Ｂに直交する折り線４６Ｂにより連続している。糊しろ支持部５３Ｂは、二重壁組立箱１の妻面部４における上底板部２２に相当する位置に配されるが、その幅（折り線４６Ｂに直交する方向の寸法）は、糊しろ２５Ｂの幅より若干大きい程度である。なお、糊しろ２５Ｂは、二重壁組立箱１の妻面部４における糊しろ２５と略同じであり、その幅は外妻面２１Ｂの幅に比べて小さい。また、糊しろ支持部５３Ｂは、上底板部２２が有する底係合部３１を有さず、形状が略矩形である。
【００４２】
妻面部４Ｂの他の構成は、二重壁組立箱１の妻面部４が有する連結部２３および突部３２を有しない点を除き、二重壁組立箱１の妻面部４と同じである。二重壁組立箱１における連結部２３の両側の折り線４７，４８は１つの折り線５４Ｂに置き換えられる。
妻面部４Ｂは、その外妻面２１Ｂの幅が、その内妻面２４Ｂの幅に略等しい（この点は、二重壁組立箱１における外妻面２１の幅と内妻面２４の幅との関係と同じである）。
【００４３】
図５および図６において、二重壁組立箱１におけるものと同じ構成を有する部分は、二重壁組立箱１におけるものと同じ符合にＢを加えて表示した。
展開物６の糊付けは、図６から判るように、糊しろ１５Ｂ，２５Ｂが一方向にのみ延びており、二重壁組立箱１の展開物２と同様に１工程で行うことができる。
展開物６の糊付け後の手作業による組み立ては、展開物６が連結部を有しない点を除き二重壁組立箱１の展開物２と同じであるから、図３，４に示された二重壁組立箱１の展開物２の組み立てと同様に行うことができる。展開物６の組み立てにおいて、妻面部４Ｂにおける糊しろ２５Ｂに糊付けされた糊しろ支持部５３Ｂは、底板５１Ｂの内側（図６における手前側）に折り込まれる。
【００４４】
なお、展開物６は、二重壁組立箱１の展開物２が有する切り欠き１６，がわ係合部１８、つま係合部３３を有しないので、組み立ての最後の妻面部４Ｂと側面部５Ｂとの連結は、粘着テープで行われる。粘着テープに換えて、包装する商品の商標、販売する店の商号等が印刷されたシール等を用いるのが好ましい。
外妻面２１Ｂの外方に折り線で連続する略台形の差し込み部５５Ｂを設けておき、糊付けされない外側面１２Ｂと内側面１４Ｂとの間に差し込み部５５Ｂを差し入れた後にシール等で妻面部４Ｂと側面部５Ｂとを連結するようにしてもよい。
【００４５】
上述の展開物２において、上底板部２２の折り線４５が延びた方向の長さＬ１を、折り線４１の長さＬ２とは無関係に短くし、１枚底の二重壁組立箱としてもよい。その場合、折り線４４における切り離し線１７は２カ所となり、その位置は、上底板部２２の長さＬ１に応じて決定される。
上述の展開物６において、糊しろ支持部５３Ｂの幅を折り線４１Ｂの長さの略半分とし、二重壁組立箱の底を二重としてもよい。
【００４６】
展開物２，６は、本体部３，３Ｂおよび２つの妻面部４，４Ｂが点対称であるが、これらを線対称となるように配してもよい。そのような展開物は、図１，５の展開物２，６の上半分を左右逆転させた形状となる。
展開物２の組み立てにおける、内妻面２４の折り線４５から離れた側の端（図２では例えば上側の端）と、内側面１４の切り欠き１６が設けられた側の端との連結を、展開物２における方法と異なる方法で行ってもよい。
【００４７】
なお、展開物２，６の組み立て物である二重壁組立箱は、商品等を収容する入れ物に限られず、商品等を収容する箱の蓋としても使用可能である。「二重壁組立箱」の名称は、本発明を、商品等を収容する箱に限定するものではない。
その他、二重壁組立箱１および展開物２，６、ならびに二重壁組立箱１および展開物２，６の各構成または全体の構造、形状、寸法、個数、材質などは、本発明の趣旨に沿って適宜変更することができる。
【産業上の利用可能性】
【００４８】
本発明は、例えば、収容する商品等を保護しおよびに高級感を与えるために側面が二重構造となった組立箱に利用することができる。
【符号の説明】
【００４９】
１  二重壁組立箱
２，６  展開物
３，３Ｂ  本体部
４，４Ｂ  つま面部（妻面部）
５，５Ｂ  がわ面部（側面部）
１１  底板
１２，１２Ｂ  外がわ面（外側面）
１３  連結部
１４，１４Ｂ  内がわ面（内側面）
１５，１５Ｂ  糊しろ
２１，２１Ｂ  外つま面（外妻面）
２２  上底板部
２３  連結部
２４，２４Ｂ  内つま面（内妻面）
２５  糊しろ
４１〜４９  折り線
４１Ｂ，４４Ｂ〜４６Ｂ，４９Ｂ，５２Ｂ，５４Ｂ  折り線
５１Ｂ  底板
５３Ｂ  糊しろ支持部
【図１】
2013237458.tif 000003
【図２】
2013237458.tif 000004
【図３】
2013237458.tif 000005
【図４】
2013237458.tif 000006
【図５】
2013237458.tif 000007
【図６】
2013237458.tif 000008
【図７】
2013237458.tif 000009
【図８】
2013237458.tif 000010